(57)【要約】      （修正有）【課題】加湿ケースの水槽に給水するか加湿ケースを水洗する際、加湿器本体内の主な電子部品が濡れて損壊することを防ぐ加湿器構造を提供する。【解決手段】加湿器構造は、加湿器本体１及び加湿ケース２を備える。加湿器本体１には、給電ユニット、ブロアユニット及び第１の導電ユニットが内設される。ブロアユニット及び第１の導電ユニットは、給電ユニットと電気的に接続される。加湿器本体１上には、第１の導電部１５２が設けられる。第１の導電ユニットの接点１４１は、第１の導電部１５２に位置する。加湿ケース２は、加湿器本体１上に着脱可能に取付けられる。加湿ケース２の底部には、第２の導電ユニットが設けられ、第２の導電ユニットの接点と第１の導電ユニットの接点１４１とが対応して接触される。加湿ケース２の底部には、第２の送風部２２が設けられる。【選択図】図３
0003228328.tif 000002
【実用新案登録請求の範囲】
【請求項１】
加湿器本体及び加湿ケースを備えた、加湿器構造であって、
前記加湿器本体には、給電ユニット、ブロアユニット及び第１の導電ユニットが内設され、前記ブロアユニット及び前記第１の導電ユニットは、前記給電ユニットと電気的に接続され、
前記加湿器本体上には、前記ブロアユニットの排風口と連通した第１の送風部が設けられ、前記加湿器本体上には、第１の導電部が設けられ、前記第１の導電ユニットの接点は、前記第１の導電部に位置し、
前記加湿ケースは、前記加湿器本体上に着脱可能に取付けられ、前記加湿ケースの底部には、第２の導電ユニットが設けられ、前記第２の導電ユニットの接点と前記第１の導電ユニットの接点とが対応して接触され、前記加湿ケースの底部には、前記加湿器本体の前記第１の送風部に対応して接続された第２の送風部が設けられ、前記加湿ケース内には、水槽が設けられ、前記水槽内には、ミスト発生ユニットが設けられ、前記ミスト発生ユニットは、前記第２の導電ユニットと電気的に接続されることを特徴とする、
加湿器構造。
【請求項２】
前記加湿器本体内には、収容空間が形成され、前記収容空間内には、前記給電ユニット、前記ブロアユニット及び前記第１の導電ユニットが内設され、前記収容空間の開口は、密封蓋により対応して覆われ、前記密封蓋上には、前記第１の送風部及び前記第１の導電部が設けられることを特徴とする請求項１に記載の加湿器構造。
【請求項３】
前記加湿ケースの前記水槽の一側槽壁には、第３の送風部が設けられ、前記第２の送風部と前記第３の送風部とが送風チャネルにより接続され、前記加湿ケースの前記水槽の槽口は、カバーにより覆われ、前記カバー上には、ミスト出力部が設けられ、前記ミスト出力部と前記ミスト発生ユニットとの間には、ミスト輸送管が接続され、前記ミスト輸送管の上部には、少なくとも１つの貫通孔が形成され、前記貫通孔は前記第３の送風部に対応した箇所に位置し、前記ミスト輸送管の下部には、少なくとも１つの入水孔が形成されていることを特徴とする請求項１に記載の加湿器構造。
【考案の詳細な説明】
【技術分野】
【０００１】
本考案は、加湿器構造に関し、特に、加湿機本体及び加湿ケースを含み、加湿ケースの水槽に給水するか加湿ケースを水洗する際、加湿ケースと加湿器本体とを分離させることができるため、加湿器本体内の主な電子部品が濡れて損壊することを防ぐ、加湿器構造に関する。
【背景技術】
【０００２】
従来の加湿器の水槽は、加湿器上に固定成形されていることが一般的であったため、水槽に給水する際、加湿器全体を水道の蛇口など水を汲むことができる場所まで運んで給水を行っていた。また、加湿器を長期間使用した場合、水槽内にカビが繁殖してしまうことがあるが、水槽を水洗するときに加湿器内に水が浸入し、加湿器内部の電子部品が損壊してしまう虞があった。
【考案の概要】
【考案が解決しようとする課題】
【０００３】
本考案の目的は、加湿機本体及び加湿ケースを含み、加湿ケースの水槽に給水するか加湿ケースを水洗する際、加湿ケースと加湿器本体とを分離させることができるため、加湿器本体内の主な電子部品が濡れて損壊することを防ぐ、加湿器構造を提供することにある。
【課題を解決するための手段】
【０００４】
上記課題を解決するために、本考案の第１の形態によれば、加湿器本体及び加湿ケースを備えた、加湿器構造であって、前記加湿器本体には、給電ユニット、ブロアユニット及び第１の導電ユニットが内設され、前記ブロアユニット及び前記第１の導電ユニットは、前記給電ユニットと電気的に接続され、前記加湿器本体上には、前記ブロアユニットの排風口と連通した第１の送風部が設けられ、前記加湿器本体上には、第１の導電部が設けられ、前記第１の導電ユニットの接点は、前記第１の導電部に位置し、前記加湿ケースは、前記加湿器本体上に着脱可能に取付けられ、前記加湿ケースの底部には、第２の導電ユニットが設けられ、前記第２の導電ユニットの接点と前記第１の導電ユニットの接点とが対応して接触され、前記加湿ケースの底部には、前記加湿器本体の前記第１の送風部に対応して接続された第２の送風部が設けられ、前記加湿ケース内には、水槽が設けられ、前記水槽内には、ミスト発生ユニットが設けられ、前記ミスト発生ユニットは、前記第２の導電ユニットと電気的に接続されることを特徴とする、加湿器構造を提供する。
【考案の効果】
【０００５】
本考案の加湿器構造は、加湿機本体及び加湿ケースを含み、加湿ケースの水槽に給水するか加湿ケースを水洗する際、加湿ケースと加湿器本体とを分離させることができるため、加湿器本体内の主な電子部品が濡れて損壊することを防ぐことができる。
【図面の簡単な説明】
【０００６】
【図１】本考案の一実施形態に係る加湿器構造を示す斜視図である。
【図２】本考案の一実施形態に係る加湿器構造を示す別の角度からの斜視図である。
【図３】本考案の一実施形態に係る加湿器本体を示す分解斜視図である。
【図４】本考案の一実施形態に係る加湿器本体を示す分解斜視図である。
【図５】本考案の一実施形態に係る加湿器構造の加湿ケースを示す分解斜視図である。
【図６】本考案の一実施形態に係る加湿器構造の加湿ケースのカバーを示す分解斜視図である。
【図７】本考案の一実施形態に係る加湿器構造を示す断面図（１）である。
【図８】本考案の一実施形態に係る加湿器構造を示す断面図（２）である。
【考案を実施するための形態】
【０００７】
本考案の技術手段及びそれにより達成可能な効果を、より完全かつ明白に開示するため、開示した添付の図面及び符号と併せて本考案を以下に詳説する。
【０００８】
図１〜図３を参照する。図１〜図３に示すように、本考案の一実施形態に係る加湿器構造は、少なくとも加湿器本体１及び加湿ケース２から構成されてなる。
【０００９】
図１〜図３と併せて図４を参照する。図１〜図３及び図４に示すように、加湿器本体１には、収容空間１１が形成される。収容空間１１内には、給電ユニット１２、ブロアユニット１３及び第１の導電ユニット１４が内設される。ブロアユニット１３及び第１の導電ユニット１４は、給電ユニット１２と電気的に接続される。収容空間１１の開口は、密封蓋１５により対応して覆われ、密封蓋１５には、ブロアユニット１３に対応した箇所に第１の送風部１５１が設けられ、ブロアユニット１３の排風口と連通する。密封蓋１５の第１の導電ユニット１４に対応した箇所に第１の導電部１５２が設けられ、第１の導電ユニット１４の接点１４１は第１の導電部１５２に位置する。
【００１０】
図１〜図３と併せて図５を参照する。図１〜図３及び図５に示すように、加湿ケース２は、加湿器本体１の密封蓋１５上に着脱可能に取付けられる。加湿ケース２の底部には、第２の導電ユニット２１が設けられ、第２の導電ユニット２１の接点２１１と第１の導電ユニット１４の接点１４１とが対応して接触される。加湿ケース２の底部には、第２の送風部２２が設けられ、加湿器本体１の第１の送風部１５１に対応して接続される。加湿ケース２内には、水槽２３が内設される。水槽２３の一側槽壁には、水槽２３に隣接した槽口に第３の送風部２４が設けられ、第２の送風部２２と第３の送風部２４とが送風チャネル２５により接続される。水槽２３内には、ミスト発生ユニット２６が設けられる。ミスト発生ユニット２６は、超音波発振器でもよく、第２の導電ユニット２１と電気的に接続される。また、水槽２３内には、ハンドル２７が設けられる。ハンドル２７の両端は、水槽２３の２つの側槽壁に枢着される。加湿ケース２の水槽２３の槽口は、カバー２８により覆われる。図６及ぶ図７を併せて参照する。
図６及び図７に示すように、カバー２８上には、ミスト出力部２８１が旋回可能に取付けられる。ミスト出力部２８１とミスト発生ユニット２６との間には、ミスト輸送管２９が接続される。ミスト輸送管２９の上部には、少なくとも１つの貫通孔２９１が形成され、貫通孔２９１は第３の送風部２４に対応した箇所に位置する。ミスト輸送管２９の下部には、少なくとも１つの入水孔２９２が形成される。
【００１１】
加湿ケース２の水槽２３に給水するときは、加湿ケース２のカバー２８を引き起こし、加湿ケース２の水槽２３内に枢着されたハンドル２７を把持して加湿ケース２を引き上げると、加湿ケース２と加湿器本体１とが分離し、加湿ケース２だけを水道の蛇口など水を汲むことができる場所へ持っていって給水を行い、加湿ケース２の水槽２３に所望の水量を給水した後、カバー２８により水槽２３の槽口を覆う。加湿ケース２を再び加湿器本体１上に取付けると、図８に示すように、加湿ケース２の底部に設けた第２の導電ユニット２１の接点２１１が、加湿器本体１の第１の導電ユニット１４の接点１４１に接触される。また、加湿ケース２底部の第２の送風部２２は、加湿器本体１の第１の送風部１５１に対応して接続される。
【００１２】
使用者が加湿器本体１の給電ユニット１２を商用電源に接続すると、給電ユニット１２により商用電源の電気を所望の電流及び電圧に変換し、ブロアユニット１３及びミスト発生ユニット２６の動作に必要な電源を供給することができる。ブロアユニット１３が動作し、風力が第１の送風部１５１を介して加湿ケース２の第２の送風部２２に進入し、送風チャネル２５を通って加湿ケース２の水槽２３内に位置する第３の送風部２４から噴射される。加湿ケース２のミスト発生ユニット２６は、加湿器本体１の第１の導電ユニット１４の接点１４１と、加湿ケース２の第２の導電ユニット２１の接点２１１との導電接触により電源が得られる。水槽２３内の水は、ミスト輸送管２９下部の入水孔２９２を介してミスト輸送管２９内に進入し、ミスト発生ユニット２６により水を振動させて霧状にした後、ミスト輸送管２９の上方へ噴射する。ブロアユニット１３が第３の送風部２４を介して出力した風力は、ミスト輸送管２９上部の貫通孔２９１を介してミスト輸送管２９内に送られ、ミスト出力部２８１によりミストを噴霧する速度を高め、室内の空気を加湿する。カバー２８上に旋回可能に取付けられたミスト出力部２８１は、室内の空気を加湿し易いように上下左右に調整可能である。
【００１３】
上述したことから分かるように、本考案の加湿器構造は、加湿器本体１と加湿ケース２とを着脱可能に組立てるとともに、給電ユニット１２、ブロアユニット１３などの主な電子部品を加湿器本体１に配設し、加湿ケース２内に水槽２３を設置する。この構成により、水槽２３に給水するか水槽２３を水洗するときに、加湿ケース２と加湿器本体１とを分離させ、加湿ケース２に給水するか水槽２３を水洗することができるため、水槽２３に給水することと水槽２３を水洗することとを容易に行うことができる上、加湿器本体１内の給電ユニット１２、ブロアユニット１３などの主な電子部品が不用意に濡れて損壊してしまうことを防ぐことができる。
【符号の説明】
【００１４】
１  加湿器本体
２  加湿ケース
１１  収容空間
１２  給電ユニット
１３  ブロアユニット
１４  第１の導電ユニット
１５  密封蓋
２１  第２の導電ユニット
２２  第２の送風部
２３  水槽
２４  第３の送風部
２５  送風チャネル
２６  ミスト発生ユニット
２７  ハンドル
２８  カバー
２９  ミスト輸送管
１４１  接点
１５１  第１の送風部
１５２  第１の導電部
２１１  接点
２８１  ミスト出力部
２９１  貫通孔
２９２  入水孔
【図１】
0003228328.tif 000003
【図２】
0003228328.tif 000004
【図３】
0003228328.tif 000005
【図４】
0003228328.tif 000006
【図５】
0003228328.tif 000007
【図６】
0003228328.tif 000008
【図７】
0003228328.tif 000009
【図８】
0003228328.tif 000010